(57)【要約】【課題】据付けが容易で、取付けた後天井パネルを外すことなく、本体の高さ調整を可能とした天井埋込型空気調和機の据付装置を提供する。【解決手段】本体１両側から水平に突出しボルト孔２ａを有する水平部２ｂと、水平部に連続して下方へ垂下し本体に固定される取付部２ｃと、水平部の先端部から下方へ垂下する掛止部２ｄとからなる取付金具２と、天井面下に架設された吊りボルト３に対応する挿通孔４ａとボルト孔に対向するネジ孔４ｂを有する支持部４ｃと、支持部から連続して下方へ垂下するＬ字状の係合部４ｄとからなる吊り金具４からなり、挿通孔に吊りボルトを挿通し、その上下面をナット５で締結し、係合部に掛止部を係合して本体を懸架支持し、ネジ孔に上端にボルト頭６ａを有する調整用ボルト６を挿通し、調整用ボルトの先端部をボルト孔に挿通して、その下面にナットを螺着し、調整用ボルトを調整することにより、本体の取付け高さを調整可能にした。【選択図】  図１
2004279012.tif 000002
【特許請求の範囲】
【請求項１】
本体両側から水平に突出しボルト孔を有する水平部と、同水平部に連続して下方へ垂下し前記本体の両側面に固定される取付部と、前記水平部の先端部から下方へ垂下する掛止部とからなる取付金具と、天井面下に架設された吊りボルトに対応する挿通孔と前記ボルト孔に対向するネジ孔を有する支持部と、同支持部の長手方向一側から連続して下方へ垂下するＬ字状の係合部とからなる吊り金具からなり、
前記吊り金具の前記挿通孔に前記吊りボルトを挿通するとともに、その上下面をナットで締結し、前記吊り金具の前記係合部に前記掛止部を係合して前記本体を懸架支持し、前記吊り金具の前記ネジ孔に上端にボルト頭を有する調整用ボルトを挿通し、同調整用ボルトの先端部を前記取付金具の前記ボルト孔に挿通して、その下面にナットを螺着し、前記調整用ボルトを調整することにより、前記本体の取付け高さを調整可能にしてなることを特徴とする天井埋込型空気調和機の据付装置。
【発明の詳細な説明】
【０００１】
【発明の属する技術分野】
本発明は天井埋込型空気調和機の据付装置に係り、詳しくは空気調和機の据付けが容易で、取付けた後天井パネルを外すことなく、本体の高さ調整を可能とした据付金具の構造に関する。
【０００２】
【従来の技術】
従来の天井埋込型空気調和機の据付装置は図３に示すようなものが知られている（例えば、特許文献１参照）。
図３において、３４ａは天井裏の梁などより吊り下げられた吊りボルトであり、空気調和機１’の長手方向で配管導出部２０とドレンソケット導出部２１側にあり、３４ｂはこれに相対する側に配設している。３５は吊りボルト３４ａ，３４ｂにねじ込まれた下側のナットである。３６は吊りボルト３４ａ，３４ｂにねじ込まれた上側のナットであり、この上下のナットにより吊金具１９を挟着し固定する。３７は多曲された略Ｔ字形状の吊治具であり、上面の平面部の長手方向に略Ｕ字形状で同方向に解放方向を呈した溝が両端に配設してあり、この溝間隔は空気調和機１の複数個の吊金具１９のピッチとほぼ同間隔である。また強度を必要とするため隣り合う辺を曲げてある。吊治具３７の下面は取手部３０の幅より僅かに小さい幅で、取手部３０を引っ掛けられる様端部は概上方向を呈し曲げてある。吊治具３７の上面部と下面部を略Ｔ字形状の板で多曲して作成し軽量で持ちやすくしている。
【０００３】
そして、上記のように構成された空気調和機１’の施工作業は、図３に示すように、天井裏の梁などに吊りボルト３４ａ，３４ｂをセットし、吊りボルト３４ａ間のピッチを吊治具３７に表示された寸法で固定する。吊りボルト３４ｂ間のピッチも吊治具３７に表示された寸法で固定する。また下側ナット３５と上側ナット３６は間隔を設けセットする。次に吊治具３７を吊りボルト３４ｂの上側ナット３６の上部に引っかける。次に空気調和機の配管導出部２０とドレンソケット導出部２１と相対する側の取手部３０を吊治具３７に引っかけ板固定状態にし、空気調和機の配管導出部２０とドレンソケット導出部２１側の吊金具１９を吊りボルト３４ａの下側ナット３５に乗せ上側ナット３６と共に挟着し固定する。次に取手部３０と吊治具３７の仮固定を外し、こちら側の吊金具１９を吊りボルト３４ｂの下側ナット３５に乗せ上側ナット３６と共に挟着し固定する。空気調和機本体１’が吊りボルト３４ａ，３４ｂに固定された後に、化粧パネル３を装着する。
【０００４】
以上のように、空気調和機の上半分を構成する台枠６と下半分を構成する水受皿１６を合成樹脂で形成し、台枠６の長手方向両側面に複数個の吊金具１９を設け、また水受皿１６の長手方向両側面には取手部３０を設けた天井埋込形空気調和機において、天井裏の梁等にねじ部を備えて複数のナット及びワッシャーを装着した吊りボルトと、前記の取手部３０を連絡させ仮固定させる吊治具３７を設ける事により、１人で空気調和機の吊り込み作業をするときに、片側が簡単に仮固定でき、吊金具１９と吊りボルト３４ａ及び３４ｂのセットは片側ずつ目視しながら確実にでき、吊り込み作業が容易となり施工性が向上する。また吊治具３７には、空気調和機の短方向と平行に略Ｕ字形状の溝が解放方向を同方向に呈し両端に配設してあるため、吊りボルト３４ａ，３４ｂへの装着が容易にでき、空気調和機の吊り込み作業時左右に揺れても吊りボルトより外れることがない上、外す場合は一方法へ移動するだけで外すことができる。
【０００５】
しかしながら、上記構成において、本体１’を吊下げ、化粧パネル３を装着した後、例えば、化粧パネル３と天井に隙間があり、本体１’の高さを調整する場合には、化粧パネル３を外さなければならず、容易に空気調和機本体１’の高さを調整することができない。
【０００６】
【特許文献１】
特開平１０−２０５８７９号公報（第３〜５頁、第３図）
【０００７】
【発明が解決しようとする課題】
本発明は、上記従来の問題点に鑑みなされたもので、据付けが容易で、取付けた後天井パネルを外すことなく、本体の高さ調整を可能とした天井埋込型空気調和機の据付装置を提供することを目的とする。
【０００８】
【課題を解決するための手段】
本発明は、上記課題を解決するために、本体両側から水平に突出しボルト孔を有する水平部と、同水平部に連続して下方へ垂下し前記本体の両側面に固定される取付部と、前記水平部の先端部から下方へ垂下する掛止部とからなる取付金具と、天井面下に架設された吊りボルトに対応する挿通孔と前記ボルト孔に対向するネジ孔を有する支持部と、同支持部の長手方向一側から連続して下方へ垂下するＬ字状の係合部とからなる吊り金具からなり、
前記吊り金具の前記挿通孔に前記吊りボルトを挿通するとともに、その上下面をナットで締結し、前記吊り金具の前記係合部に前記掛止部を係合して前記本体を懸架支持し、前記吊り金具の前記ネジ孔に上端にボルト頭を有する調整用ボルトを挿通し、同調整用ボルトの先端部を前記取付金具の前記ボルト孔に挿通して、その下面にナットを螺着し、前記調整用ボルトを調整することにより、前記本体の取付け高さを調整可能にしてなる構成となっている。
【０００９】
【発明の実施の形態】
本発明の実施の形態を添付図面を参照して詳細に説明する。
図１は、本発明による天井埋込型空気調和機の据付装置の断面図で、図２は、本体と吊り金具の関係を示す要部拡大説明図である。
図１、図２において、天井埋込型空気調和機の据付装置は、空気調和機本体１の両側から水平に突出しボルト孔２ａを有する水平部２ｂと、同水平部２ｂに連続して下方へ垂下し前記本体１の両側面上部に固定される取付部２ｃと、前記水平部２ｂの先端部から下方へ垂下する掛止部２ｄとからなる取付金具２で本体１側が構成されている。
【００１０】
そして、天井（図示せず）の面下には、複数の吊りボルト３が架設されている。また、この吊りボルト３に対応する挿通孔４ａと前記ボルト孔２ａに対向するネジ孔４ｂを有する支持部４ｃと、同支持部４ｃの長手方向一側から連続して下方へ垂下するＬ字状の係合部４ｄとからなる吊り金具４から懸架支持側が構成されている。
また、前記吊り金具４の前記ネジ孔４ｂに、上端にボルト頭６ａを有する調整用ボルト６を挿通し、同調整用ボルト６の先端部（下端）を前記取付金具２の前記ボルト孔２ａに挿通して、その下面にナット７を螺着する構成となっている。
【００１１】
上記構成において、次にその取付け手順を説明する。
前記吊り金具４の前記挿通孔４ａに前記吊りボルト３を挿通するとともに、その上下面をナット５で締結し、前記吊り金具４の前記係合部４ｄに前記掛止部２ｄを係合して前記本体１を懸架支持し、前記吊り金具４の前記ネジ孔４ｂに、上端にボルト頭６ａを有する調整用ボルト６を挿通し、同調整用ボルト６の先端部（下端）を前記取付金具２の前記ボルト孔２ａに挿通して、その下面にナット７を螺着し、前記調整用ボルト６を調整することにより、前記本体１の取付け高さを調整可能にすることができる。
【００１２】
以上に説明したように、本体１の両側から水平に突出しボルト孔２ａを有する水平部２ｂと、同水平部２ｂに連続して下方へ垂下し本体１の両側面に固定される取付部２ｃと、水平部２ｂの先端部から下方へ垂下する掛止部２ｄとからなる取付金具２と、吊りボルト３に対応する挿通孔４ａとボルト孔２ａに対向するネジ孔４ｂを有する支持部４ｃと、同支持部４ｃの長手方向一側から連続して下方へ垂下するＬ字状の係合部４ｄとからなる吊り金具４からなり、挿通孔４ａに吊りボルト３を挿通すると共に、その上下面をナット５で締結し、係合部４ｄに掛止部２ｄを係合して本体１を懸架支持し、吊り金具４のネジ孔４ｂに上端にボルト頭６ａを有する調整用ボルト６を挿通し、同調整用ボルト６の先端部をボルト孔２ａに挿通して、その下面にナット７を螺着した構成とすることにより、据付けが容易で、取付けた後天井パネルを外すことなく、本体の高さ調整を可能とした天井埋込型空気調和機の据付装置となる。
【００１３】
【発明の効果】
以上のように本発明においては、本体の両側から水平に突出しボルト孔を有する水平部と、水平部に連続して下方へ垂下し本体に固定される取付部と、水平部の先端部から下方へ垂下する掛止部とからなる取付金具と、吊りボルトに対応する挿通孔とボルト孔に対向するネジ孔を有する支持部と、同支持部から連続して下方へ垂下するＬ字状の係合部とからなる吊り金具からなり、挿通孔に吊りボルトを挿通すると共に、その上下面をナットで締結し、係合部に掛止部を係合して本体を懸架支持し、吊り金具のネジ孔に上端にボルト頭を有する調整用ボルトを挿通し、その先端部をボルト孔に挿通して、下面にナットを螺着した構成とすることにより、据付けが容易で、取付けた後天井パネルを外すことなく、本体の高さ調整を可能とした天井埋込型空気調和機の据付装置となる。
【図面の簡単な説明】
【図１】本発明による天井埋込型空気調和機の据付装置の一実施例を示す断面図である。
【図２】本発明による本体と吊り金具の関係を示す要部拡大説明図である。
【図３】従来の天井埋込型空気調和機の据付装置の一例を示す斜視図である。
【符号の説明】
１  本体
２  取付金具
２ａ  ボルト孔
２ｂ  水平部
２ｃ  取付部
２ｄ  掛止部
３  吊りボルト
４  吊り金具
４ａ  挿通孔
４ｂ  ネジ孔
４ｃ  支持板
４ｄ  係合部
５  ナット
６  調整用ボルト
６ａ  ボルト頭
７  ナット
【図１】
2004279012.tif 000003
【図２】
2004279012.tif 000004
【図３】
2004279012.tif 000005